(57)【要約】【課題】ファクスのメモリ受信機能を有する画像処理装置において、ネットワーク接続された情報処理装置においてプレビュー画像に天地回転処理を行った場合、画像処理装置で表示させるプレビュー画像についても同様の処理を行うことが望ましい。しかし、受信したファクスデータは画像処理を行わないでそのまま保存することが望ましいため、プレビューを表示するたびに画像処理を行ったり、別途メモリを使用したりすることになってしまう。【解決手段】情報処理装置においてプレビュー画像において天地回転処理を行った場合、画像処理装置へ天地回転処理情報を送信する。画像処理装置は、天地回転処理情報を受理すると、これをファクス受信データに紐づけて記憶し、ファクス画像をプレビュー表示して確認する時に、ファクス画像へ天地回転処理情報を反映させる。【選択図】図５
2020091765.tif 000002
【特許請求の範囲】
【請求項１】
外部装置から画像データを受信する第１の受信手段と、
前記画像データを保存する第１の記憶手段と、
情報処理装置に前記画像データを送信する送信手段と、
前記情報処理装置から前記画像データに紐づけられた画像処理に関する情報を受信する第２の受信手段と、
前記画像データに基づいてページ毎に第１のプレビュー画像を生成する第１の生成手段と、
を有する画像処理装置であって、
前記情報に基づいて、前記第１のプレビュー画像に前記画像処理を行い第２のプレビュー画像を生成する第２の生成手段を有する
ことを特徴とする画像処理装置。
【請求項２】
前記情報を保存する第２の記憶手段を有する
ことを特徴とする請求項１に記載の画像処理装置。
【請求項３】
前記情報は、前記第１のプレビュー画像のページ毎に紐づけられている
ことを特徴とする請求項１又は２に記載の画像処理装置。
【請求項４】
前記第２のプレビュー画像は、前記第１のプレビュー画像を天地回転処理した画像である
ことを特徴とする請求項１乃至３のいずれか１項に記載の画像処理装置。
【請求項５】
前記画像データは、ファクス受信したデータである
ことを特徴とする請求項１乃至４のいずれか１項に記載の画像処理装置。
【請求項６】
前記第１のプレビュー画像及び／又は前記第２のプレビュー画像を表示する第１の表示手段を有する
ことを特徴とする請求項１乃至５のいずれか１項に記載の画像処理装置。
【請求項７】
前記第１の表示手段は、複数ページの前記第１のプレビュー画像及び／又は前記第２のプレビュー画像を表示する
ことを特徴とする請求項６に記載の画像処理装置。
【請求項８】
前記第１の表示手段は、ページ毎に前記第１のプレビュー画像又は前記第２のプレビュー画像を表示する
ことを特徴とする請求項７に記載の画像処理装置。
【請求項９】
前記画像データを印刷する印刷手段を有する
ことを特徴とする請求項１乃至８のいずれか１項に記載の画像処理装置。
【請求項１０】
前記印刷手段は、前記情報に基づいて、ページ毎に、前記画像処理を行わずに、又は、前記画像処理を行い、前記画像データを印刷する
ことを特徴とする請求項９に記載の画像処理装置。
【請求項１１】
前記画像データの印刷が終了した後、前記画像データを第１の記憶手段から削除する
ことを特徴とする請求項９又は１０に記載の画像処理装置。
【請求項１２】
請求項１乃至１１のいずれか１項に記載された画像処理装置と、
前記画像処理装置に接続された前記情報処理装置と、を備える
ことを特徴とする印刷システム。
【請求項１３】
前記情報処理装置が、前記画像処理を行う指示を入力することができる手段を有する
ことを特徴とする請求項１２に記載の印刷システム。
【請求項１４】
前記指示が入力された場合、前記情報処理装置は、前記画像処理に関する情報を生成する
ことを特徴とする請求項１３に記載の印刷システム。
【請求項１５】
前記情報処理装置が、前記第１のプレビュー画像を表示する第２の表示手段を有する
ことを特徴とする請求項１２乃至１４のいずれか１項に記載の印刷システム。
【請求項１６】
前記指示が入力された場合、前記第２の表示手段は、前記第２のプレビュー画像を表示する
ことを特徴とする請求項１４又は１５に記載の印刷システム。
【請求項１７】
外部装置から画像データを受信する第１の受信工程と、
情報処理装置に前記画像データを送信する送信工程と、
前記情報処理装置から前記画像データに紐づけられた画像処理に関する情報を受信する第２の受信工程と、
前記画像データに基づいてページ毎に第１のプレビュー画像を生成する第１の生成工程と、
前記情報に基づいて、前記第１のプレビュー画像に前記画像処理を行い第２のプレビュー画像を生成する第２の生成工程と、を有する
ことを特徴とする画像処理方法。
【請求項１８】
請求項１７の画像処理方法をコンピュータにより実行させるためのプログラム。
【発明の詳細な説明】
【技術分野】
【０００１】
本発明は、画像データの受信の機能を備えた画像処理装置、画像処理装置を備えた印刷システム、画像処理方法、及びプログラムに関するものである。
【背景技術】
【０００２】
現在、ファクスデータを受信した時点ですぐに印刷を開始せずに、一旦、ファクスデータを画像形成装置本体のメモリへ記憶し、ユーザの指示に基づいて印刷を開始する、いわゆるメモリ受信機能を有する画像形成装置が提供されている。更に、メモリ受信機能を利用し、メモリに記憶したファクスデータのプレビュー画像を印刷する前に表示することができる画像形成装置が提供されている。このような画像形成装置においては、ユーザがファクスデータのプレビュー画像を確認することにより印刷の要否を判断することができるため、ユーザは不要なファクスデータの印刷を行わずに済ませることができる。
【０００３】
特許文献１には、ネットワークを介して画像形成装置と接続された情報処理装置において、画像形成装置が受信したファクスデータのプレビュー画像を確認することができるシステムが開示されている。
また、特許文献２には、画像処理に用いる設定項目と、設定項目を用いた画像処理の結果の概略を示すプレビュー情報とを操作パネル上に表示する表示処理部と、任意の設定項目の選択を受け付ける選択受付部と、を備える画像形成装置が開示されている。特許文献２の画像形成装置においては、利用者が変更し、または、選択受付部により選択が受け付けられた設定項目を用いた画像処理の結果が操作パネルに表示される。
【先行技術文献】
【特許文献】
【０００４】
【特許文献１】特開２０１３−１９２１６３号公報
【特許文献２】特開２００７−２２１７２９号公報
【発明の概要】
【発明が解決しようとする課題】
【０００５】
特許文献１によれば、画像形成装置で受信したファクスデータについて、画像形成装置とネットワーク接続された情報処理装置においてプレビュー画像を生成することにより、ユーザはファクスデータの内容を情報処理装置において確認することができる。しかし、送信者が画像を天地逆向きに送信した場合、情報処理装置において生成されるプレビュー画像も天地逆向きになってしまうため、受信者にとっての可読性が低下してしまう。
これに対して、特許文献２によれば、受信したファクスデータのプレビュー画面において、画像処理を行った後の画像を表示することにより、プレビュー画像の可読性を向上させることが可能である。ここで、画像処理とは、例えば、画像の天地回転処理を指す。
【０００６】
そこで、画像形成装置とネットワーク接続された情報処理装置においても、画像形成装置が受信したファクスデータについて画像処理を行った後に、プレビュー画像を表示させるように構成することが考えられる。
そして、このように情報処理装置においてファクスデータに画像処理を行った場合、画像処理装置においてプレビュー画像を確認する時も、同様の画像処理を行ったプレビュー画像を表示することが望ましい。
【０００７】
しかし、メモリ受信機能を有する画像形成装置において、受信したファクスデータは、動作誤りやエラーなどで削除されないように、画像処理を行わないでそのまま保存することが望ましいとされている。このため、画像処理を行う必要があるファクス画像をプレビューする際には、プレビュー画像を表示するたびに画像形成装置において画像処理を行うことが必要となってしまう。
こうした課題を解決するために、画像処理を行った後のプレビュー画像を別途保存することも考えられるが、この場合、不必要にメモリを使用することになってしまう。受信したファクスデータを保存するメモリは制約条件が厳しいことも多く、メモリの使用はできるだけ少なくすることが望ましい。
【課題を解決するための手段】
【０００８】
本発明は、外部装置から画像データを受信する第１の受信手段と、前記画像データを保存する第１の記憶手段と、情報処理装置に前記画像データを送信する送信手段と、前記情報処理装置から前記画像データに紐づけられた画像処理に関する情報を受信する第２の受信手段と、前記画像データに基づいてページ毎に第１のプレビュー画像を生成する第１の生成手段と、を有する画像処理装置であって、前記情報に基づいて、前記第１のプレビュー画像に前記画像処理を行い第２のプレビュー画像を生成する第２の生成手段を有することを特徴とする。
を特徴とする。
【発明の効果】
【０００９】
本発明によれば、プレビュー画像に画像処理が必要であるか否かの情報を用いることにより、不必要なメモリを使用することなく、可読性の高いプレビュー画像を表示することが可能である。
【図面の簡単な説明】
【００１０】
【図１】画像形成装置のハードウェア構成を示すブロック図である。
【図２】ＰＣのハードウェア構成を示すブロック図である。
【図３】ファクスジョブのプレビュー画像を表示する画面の一例である。
【図４】ＰＣにおいて実行されるプレビュー画像に対する天地回転処理について説明するフローチャートである。
【図５】画像形成装置に天地回転処理情報を記憶させる処理について説明するフローチャートである。
【図６】画像形成装置の表示パネルにプレビュー画像を表示させる処理について説明するフローチャートである。
【図７】画像形成装置においてファクス受信ジョブを印刷する処理について説明するフローチャートである。
【発明を実施するための形態】
【００１１】
以下、本発明を実施するための形態として、図面を用いて、本発明の各実施例について説明する。
以下の実施例では、画像処理装置（画像形成装置）として、プリントやスキャン、ファクス機能を有する複合機（ＭＦＰ：Multi Function Peripheral）を例に説明する。
なお、以下の実施例は、特許請求の範囲に記載された本発明を限定するものでなく、本発明の例である。また、以下の実施例で説明されている特徴の組み合わせのすべてが本発明の解決手段に必須のものとは限らない。
【００１２】
＜実施例１＞
まず、本発明の実施例１について説明する。
図１は、実施例１における、画像形成装置１００のハードウェア構成を示すブロック図である。各ブロックはモジュールを示しており、また、ブロック間の矢印はデータもしくは指示の流れを示している。
【００１３】
画像形成装置１００は、印刷部１０７、読取部１０９、操作パネル１１０、表示パネル１２４、回線Ｉ／Ｆ１１２、及び、これらモジュールを制御するコントローラ部１０１を備える。
コントローラ部１０１は、ＣＰＵ１０２、ＲＡＭ１０３、ＲＯＭ１０４、印刷部Ｉ／Ｆ１０６、読取部Ｉ／Ｆ１０８、ＭＯＤＥＭ１１１、ＵＳＢ−Ｄ  Ｉ／Ｆ１１５、ネットワークＩ／Ｆ１１８を備える。上記の各モジュールは、システムバス１０５によって接続されている。
【００１４】
ＣＰＵ１０２は、各種制御プログラムに従って上記の各モジュールを総括的に制御する。各種制御プログラムは、ＲＯＭ１０４のプログラム領域に記憶された制御プログラムを読み出すことによって実行される。または、ＲＯＭ１０４のプログラム領域に記憶された圧縮されたデータをＲＡＭ１０３へ伸張、展開することによって実行される。あるいは、図示しないハードディスク・ドライブ（ＨＤＤ）に各種制御プログラムを圧縮状態／非圧縮状態で格納してもよい。
【００１５】
ネットワークＩ／Ｆ１１８は、ネットワーク（ＬＡＮ）１２０などを介してホストコンピュータ（パーソナルコンピュータ）２００（図１では「ＰＣ」と表記する。以下、「情報処理装置」という）との通信処理を行う。ネットワークＩ／Ｆ１１８とネットワーク１２０とは、ＬＡＮケーブル１１９などの通信ケーブルで接続される。
また、情報処理装置２００はＵＳＢケーブル１１６を介してＵＳＢ−Ｄ  Ｉ／Ｆ１１５で接続することも可能である。
ＭＯＤＥＭ１１１は、回線Ｉ／Ｆ１１２を介して公衆回線網１１４と接続し、図示しない他の画像形成装置やファクシミリ装置、電話機などの外部装置と通信処理を行う。回線Ｉ／Ｆ１１２と公衆回線網１１４とは、一般的に電話線１１３などで接続される。
そして、画像形成装置１００は、ネットワーク１２０やＵＳＢケーブル１１６を介して情報処理装置２００と接続され、あるいは、公衆回線網１１４を介してファクシミリ装置などの図示しない外部装置と接続され、印刷システム１０を構成する。
【００１６】
印刷部Ｉ／Ｆ１０６は、印刷部１０７（プリンターエンジン）に画像信号を出力するインターフェースとして機能する。また、読取部Ｉ／Ｆ１０８は、読取部１０９（スキャナーエンジン）から読取画像信号を入力するインターフェースとして機能する。
ＣＰＵ１０２は、読取部Ｉ／Ｆ１０９から入力された画像信号を処理し、記憶画像信号として印刷部Ｉ／Ｆ１０６へ出力する。
【００１７】
ＲＯＭ１０４のデータ領域には、ＣＰＵ１０２によって、画像形成装置１００の装置情報や、ユーザの電話帳情報、ファクス送受信データなどの各種データが保存される。これらのデータは、ＣＰＵ１０２により必要に応じて読み出され、必要に応じて更新される。
【００１８】
ＣＰＵ１０２は、ＭＯＤＥＭ１１１を介して不図示の外部装置からファクスジョブを受信すると、受信したファクスジョブについての画像データを含むファクス受信データをＲＯＭ１０４に格納する。そして、情報処理装置２００からネットワーク１２０を介して情報処理装置２００上にプレビュー画像を表示させる指示を受けると、ＲＯＭ１０４に格納されたファクス受信データから、情報処理装置２００上に表示するプレビュー画像データを生成する。そして、生成したプレビュー画像データを情報処理装置２００に送信する。
【００１９】
また、ＣＰＵ１０２は、操作パネル１１０を介して画像形成装置１００上にプレビュー画像を表示させる指示を受けると、ＲＯＭ１０４に格納されたファクス受信データから、画像形成装置１００上に表示するプレビュー画像データを生成する。そして、プレビュー画像を表示パネル１２４に表示する。
【００２０】
なお、図１のブロック図では、読取部１０９及び印刷部１０７が画像形成装置１００の内部に備えられている構成を示しているが、いずれか一方、もしくは、両方が、画像形成装置１００の外部に備えられる構成であってもよい。
【００２１】
図２は、情報処理装置２００のハードウェア構成を示すブロック図である。情報処理装置２００の内部構成は、一般的な情報処理装置の内部構成と同様である。
情報処理装置２００は、ＣＰＵ２０２、ＲＡＭ２０３、ＲＯＭ２０４、補助記憶部２０５、入力部２０６、画像表示部２０７、ネットワークＩ／Ｆ２０８などの各種モジュールを備える。各モジュールは、システムバス２０１によって接続されている。
【００２２】
ＣＰＵ２０２は、各種制御プログラムに従って各モジュールを総括的に制御する。
各種制御プログラムは、ＲＯＭ２０４のプログラム領域に記憶された制御プログラムを読み出すことによって実行される。または、ＲＯＭ２０４のプログラム領域に記憶された圧縮されたデータをＲＡＭ２０３へ伸張、展開することによって実行される。あるいは、補助記憶部２０５に上記の各種制御プログラムを圧縮状態／非圧縮状態で格納してもよい。
補助記憶部２０５は、また、画像形成装置１００から送信されたファクス受信データを保存する。
【００２３】
入力部２０６は、ユーザが入力操作をする目的で使用されるものであり、例えば、マウスやキーボードなどから構成される。
画像表示部２０７は、ユーザにメッセージを通知する目的で使用されるものであり、例えば、液晶ディスプレイなどから構成される。
【００２４】
ネットワークＩ／Ｆ２０８は、ネットワーク１２０を介して、図示しない他のネットワーク機器と相互にデータを送受信することができる。
【００２５】
図３は、ファクスジョブのプレビュー画像が表示される情報処理装置２００の画像表示部２０７の画面の一例である。
本実施例において、情報処理装置２００は、ネットワーク１２０を介して画像形成装置１００の表示パネル１２４へプレビュー画像の生成を依頼する。その後、情報処理装置２００のＣＰＵ２０２は、ネットワークＩ／Ｆ２０８を介して画像形成装置１００から送信されるファクス受信データに基づいて、情報処理装置２００の画像表示部２０７へプレビュー画像を表示させる。
【００２６】
表示領域３０１は、上記の処理によって画像表示部２０７にプレビュー画像が表示される領域を示している。本実施例では、１ページ目から３ページ目までの複数ページが表示されるものとし、ボタン３０２〜３０４を操作することにより、表示するページを切り替えることが可能である。なお、表示領域３０１には、ページ毎に、そのままの（後述の天地回転処理が行われない）プレビュー画像、又は、天地回転処理が行われたプレビュー画像が表示される。
【００２７】
図４は、情報処理装置２００においてプレビュー画像の天地回転処理について説明するフローチャートである。
本フローチャートは、情報処理装置２００のＣＰＵ２０２が、入力部２０６から動作命令を受け、ＲＯＭ２０４に記憶された制御プログラムを実行することにより実現される。画像表示部２０７に表示されるプレビュー画像の元となるファクス受信データは、ネットワーク１２０を介して画像形成装置１００から送信されてくる。
【００２８】
まず、Ｓ４０１において、情報処理装置２００のＣＰＵ２０２は、入力部２０６を介してユーザによって入力された天地回転処理を実行する指示を検知する。なお、天地回転処理の指示は、プレビュー画像のページ毎になされる。
すると、Ｓ４０２において、ＣＰＵ２０２は、指示に基づいて、補助記憶部２０５に保存されている画像データに対して天地回転処理を行う。
次に、Ｓ４０３において、ＣＰＵ２０２は、プレビュー画像をＳ４０２において天地回転処理を実行した画像に更新して、画像表示部２０７においてプレビュー画像として表示する。
そして、Ｓ４０４において、ＣＰＵ２０２は、プレビュー画像に天地回転処理を実施したことを示す天地回転処理情報を含むＵＲＬ情報を作成し、ネットワークＩ／Ｆ２０８を介して画像形成装置１００に送信する。これにより、本フローチャートの処理は終了する。
【００２９】
図５は、図４のフローチャートのＳ４０４において、情報処理装置２００から送信されたＵＲＬ情報を画像形成装置１００が取得する処理について説明するフローチャートである。
画像形成装置１００のＣＰＵ１０２が本フローチャートに基づく処理を定期的に実行することにより、画像形成装置１００は情報処理装置２００から送信されるＵＲＬ情報をリアルタイムで取得することができる。
【００３０】
Ｓ５０１において、画像形成装置１００のＣＰＵ１０２は、Ｓ４０４において情報処理装置２００が作成した天地回転処理情報を含むＵＲＬ情報が、ネットワーク１２０を介して画像形成装置１００に送信されてきたか否かを確認する。
ＵＲＬ情報を受信した場合、Ｓ５０２へ遷移する。一方、ＵＲＬ情報を受信しなかった場合は、本フローチャートの処理は終了する。
【００３１】
ＵＲＬ情報を受信した場合、Ｓ５０２において、画像形成装置１００はＵＲＬ情報元となるファクスジョブについてのファクス受信データをＲＯＭ１０４から検索する。そして、検索されたファクス受信データのプレビュー画像のページ毎に紐づけられる天地回転処理情報を１に変更する。なお、天地回転処理情報の初期値は０である。
そして、変更された天地回転処理情報はＲＯＭ１０４に保存される。これにより、本フローチャートの処理は終了する。
【００３２】
図６は、プレビュー画像を画像形成装置１００の表示パネル１２４に表示させるための処理を説明するフローチャートである。
本フローチャートは、画像形成装置１００のＣＰＵ１０２が、操作パネル１１０より動作命令を受け、ＲＯＭ１０４に記憶された制御プログラムを実行することにより実現される。
【００３３】
まず、Ｓ６０１において、画像形成装置１００のＣＰＵ１０２は、操作パネル１１０を介して、受信したファクスジョブのプレビュー画像を表示させる指示を検知する。
すると、Ｓ６０２において、ＣＰＵ１０２は、指示を受けたファクスジョブのファクス受信データから、表示パネル１２４に表示するためのプレビュー画像データを生成する。ここで、表示パネル１２４に表示するプレビュー画像データを生成するのは、通常、表示パネル１２４に表示される画像データのフォーマットは、ファクス送受信時に用いられるデータのフォーマットとは異なるためである。
【００３４】
次に、Ｓ６０３において、ＣＰＵ１０２は、Ｓ６０１で指示を受けたファクスジョブのプレビュー画像の各ページに紐づけられた天地回転処理情報が１であるか否かを判断する。
天地回転処理情報が１であった場合、Ｓ６０４に遷移する。一方、１でなかった場合、Ｓ６０５に遷移する。
【００３５】
天地回転処理情報が１であった場合、Ｓ６０４において、ＣＰＵ１０２は、Ｓ６０２において作成されたプレビュー画像データに天地回転処理を実施する。
そして、Ｓ６０５において、ＣＰＵ１０２は、表示パネル１２４にプレビュー画像を表示させる。これにより、本フローチャートの処理は終了する。
【００３６】
以上のとおり、画像形成装置１００のＲＯＭ１０４に保存されたファクス受信データを更新することなく、画像形成装置１００の表示パネル１２４に表示させるプレビュー画像に、情報処理装置２００上で実施した天地回転処理を反映させることができる。
【００３７】
＜実施例２＞
次に、本発明の実施例２について説明する。
実施例１では、情報処理装置２００において実施した天地回転処理を画像形成装置１００の表示パネル１２４に表示させるプレビュー画像に反映させた。しかし、実施した天地回転処理を、表示パネル１２４に表示させるプレビュー画像だけではなく、印刷するファクス画像にも適用することが望ましいケースもある。
そこで、実施例２では、ＲＯＭ１０４に保存したファクス受信データを更新することなく、情報処理装置２００において実施した天地回転処理を印刷するファクス画像にも適用する手法について説明する。
【００３８】
なお、実施例２においても、情報処理装置２００において実施した天地回転処理を画像形成装置１００の表示パネル１２４に表示させるプレビュー画像に反映させてもよい。すなわち、図４から図６で説明したフローチャートは、実施例２においても適用することが可能である。以下では、図４から図６までのフローチャートによる処理が行われているものとして説明する。
【００３９】
図７は、実施例２における、画像形成装置１００において受信したファクスジョブを印刷するための処理を示すフローチャートである。本フローチャートは、画像形成装置１００のＣＰＵ１０２が操作パネル１１０を介して動作命令を受け、ＲＯＭ１０４に記憶された制御プログラムを実行することにより実現される。
【００４０】
まず、Ｓ７０１において、ＣＰＵ１０２は、操作パネル１１０を介してユーザからファクスジョブの印刷を実行する指示を検知する。
すると、Ｓ７０２において、ＣＰＵ１０２は、Ｓ５０２において述べた、ファクスジョブのプレビュー画像の各ページに紐づけられた天地回転処理情報が１であるか否かを判断する。すなわち、Ｓ４０４において、ＣＰＵ２０２が天地回転処理を実施したことを示すＵＲＬ情報が情報処理装置２００から送信されているか否かを判断する。
天地回転処理情報が１であった場合、Ｓ７０３に遷移する。一方、天地回転処理情報が１でなかった場合（０の場合）、Ｓ７０４に遷移する。
【００４１】
天地回転処理情報が１であった場合、Ｓ７０３において、ＣＰＵ１０２は、ＲＯＭ１０４に保存されているファクス受信データに対して天地回転処理を実施する。
そして、Ｓ７０４において、ＣＰＵ１０１は、印刷部１０７において画像データの印刷を実行する。
【００４２】
次に、Ｓ７０５において、ＣＰＵ１０１は、印刷が正常に終了したか否かを判定する。
印刷が正常に終了したと判定された場合、Ｓ７０６に遷移する。
そして、Ｓ７０６において、ＣＰＵ１０１はＲＯＭ１０４に保存してあるファクス受信データを削除し、本フローチャートの処理を終了する。
なお、印刷が正常に終了していなかったと判定された場合、ファクス受信データを削除することなく、本フローチャートの処理を終了する。
【００４３】
以上のような処理を行うことで、画像形成装置１００のＲＯＭ１０４に保存されたファクス受信データを更新することなく、情報処理装置２００上で実施した天地回転処理を印刷するファクス画像に反映させることができる。
【００４４】
＜その他の実施例＞
以上、本発明について、各実施例に基づいて説明したが、本発明はこれらの実施例に限定されるものではない。本発明の要旨を逸脱しない範囲において、様々な形態も本発明に含まれるものである。
また、上述した実施例では、画像処理の具体例として、天地回転処理を挙げて説明したが、本発明において実施される画像処理としては天地回転処理に限られるものではない。本発明は、例えば、拡大処理、縮小処理、コントラスト調整などの他の画像処理にも適用することができる。また、上述した実施例では、画像処理をプレビュー画像のページ毎に行うか否かをしたが、受信データの全体（全ページ）に対して同様の画像処理を行ってもよい。
【００４５】
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上述の実施例に限定されるものではなく、本発明の趣旨に基づき種々の変形が可能であり、それらを本発明の範囲から除外するものではない。すなわち、上述の実施例及びその変形例を組み合わせた構成もすべて本発明に含まれるものである。
【符号の説明】
【００４６】
１０            印刷システム
１００          画像形成装置
１０４          ＲＯＭ
１０７          印刷部
１２４          表示パネル
２００          情報処理装置
２０７          画像表示部
【図１】
2020091765.tif 000003
【図２】
2020091765.tif 000004
【図３】
2020091765.tif 000005
【図４】
2020091765.tif 000006
【図５】
2020091765.tif 000007
【図６】
2020091765.tif 000008
【図７】
2020091765.tif 000009